【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】
二以上のリソースにサービスを提供するデーモンプログラム上で制御演算を動的に実行するコンピュータが制御する方法であって、
(ａ)プロセス間通信機構に前記デーモンプログラムを登録するとともに、前記プロセス間通信機構を用いて、前記デーモンプログラムを、一又は二以上のクライアントプログラム又はコマンドラインインターフェイスと接続され、制御演算の要求が開始されるサービスエージェントプログラムと接続するステップ、
(ｂ)前記プロセス間通信機構を用いて前記サービスエージェントプログラムから前記デーモンプログラムに、前記制御演算の要求を含むメッセージを送るステップ、及び
(ｃ)前記デーモンプログラムに、当該デーモンプログラムによって関連付けられる二以上の各リソースのための少なくとも一のパラメータを備えるプリファレンス機構と通信を行わせ、前記制御演算の要求に応じて、前記二以上のリソースのうち選択された一のリソースのために、前記デーモンプログラムによって用いられる、前記プリファレンス機構の少なくとも一の新たなパラメータ又はパラメータの変更を実行させ、新たな又は変更されたパラメータに従って実行される前記二以上のリソースのうち選択された一のリソースの処理のために、前記デーモンプログラムが終了されず、前記二以上のリソースのうち他のリソースのために同時に実行されているサービスが中断されないステップ、
の各ステップを含むコンピュータが制御する方法。
【請求項２】
前記ステップ(ａ)が、
(ａ１)前記プロセス間通信機構を前記デーモンプログラム内に実現するステップ、
をさらに含む請求項１記載のコンピュータが制御する方法。
【請求項３】
前記制御演算が、管理機能、実行監視機能、コンフィギュレーション機能、及びステータス生成機能よりなる群から選択されるものである請求項１記載のコンピュータが制御する方法。
【請求項４】
前記デーモンプログラムが、ＦＴＰデーモン、メールデーモン、ユーズネットニュースデーモン、ＨＴＴＰデーモン、システムログデーモン、ディレクトリサービスデーモン、及びインターネット標準サービスデーモンよりなる群から選択されるものである請求項１記載のコンピュータが制御する方法。
【請求項５】
前記サービスエージェントプログラムが、ＳＮＭＰエージェント、ＦＴＰ管理エージェント、及びＷＷＷサーバー管理エージェントよりなる群から選択されるものである請求項１記載のコンピュータが制御する方法。
【請求項６】
前記プロセス間通信機構が、ソラリスドア(Solaris Doors)、パイプ、セマフォア、共有メモリ、キュー、シグナル、メールボックス、リモートプロシージャコール(RPC)、及びリモートメソッド呼び出し(RMI)よりなる群から選択されるものである請求項１記載のコンピュータが制御する方法。
【請求項７】
前記制御演算が、前記デーモンプログラムに向けられるものである請求項１記載のコンピュータが制御する方法。
【請求項８】
前記制御演算が、前記二以上のリソースの一以上に向けられるものである請求項１記載のコンピュータが制御する方法。
【請求項９】
前記制御演算の要求が、選択されたリソースの再初期化に用いられるアクセス制御ファイルで指定される前記二以上のリソースのうち選択された一のリソースの再初期化要求を含み、この再初期化要求に従って、前記デーモンプログラムに処理を実行させる請求項１記載のコンピュータが制御する方法。
【請求項１０】
前記制御演算の要求が、前記コンピュータの実行についての統計の提供要求を含み、この統計の提供要求に従って、前記デーモンプログラムに処理を実行させる請求項１記載のコンピュータが制御する方法。
【請求項１１】
中央処理装置(ＣＰＵ)と前記ＣＰＵに結合されたメモリとを有し、二以上のリソースにサービスを提供するデーモンプログラム上で制御演算を動的に実行するための装置であって、
前記デーモンプログラムによって関連付けられる二以上の各リソースのための少なくとも一のパラメータを備え、前記デーモンプログラムと通信するプリファレンス機構、
前記デーモンプログラムを、一又は二以上のクライアントプログラム又はコマンドラインインターフェイスと接続されて、制御演算の要求が開始されるサービスエージェントプログラムに接続させる、プロセス間通信機構のための登録機構、
前記プロセス間通信機構を用いて前記サービスエージェントプログラムから前記デーモンプログラムに、前記制御演算の要求を含むメッセージを送るよう構成されたメッセージ機構、及び
前記デーモンプログラムにおいて、当該デーモンプログラムにより受信された前記メッセージを処理するとともに、制御演算の要求に応じて、前記二以上のリソースのうち選択された一のリソースのために、前記デーモンプログラムによって用いられる、前記プリファレンス機構の少なくとも一の新たなパラメータ又はパラメータの変更を実行させることにより、少なくとも選択された一のサービスのための制御演算を実行するように構成され、新たな又は変更されたパラメータに従って実行される前記二以上のリソースのうち選択された一のリソースの処理のために、前記デーモンプログラムが終了されず、前記二以上のリソースのうち他のリソースのために同時に実行されているサービスが中断されないメッセージ処理機構、
を含む装置。
【請求項１２】
前記登録機構が、前記プロセス間通信機構を前記デーモンプログラム内に実現するよう構成された通信設定機構をさらに含む請求項１１記載の装置。
【請求項１３】
前記制御演算が、管理機能、実行監視機能、コンフィギュレーション機能、及びステータス生成機能よりなる群から選択されるものである請求項１１記載の装置。
【請求項１４】
前記デーモンプログラムが、ＦＴＰデーモン、メールデーモン、ユーズネットニュースデーモン、ＨＴＴＰデーモン、システムログデーモン、ディレクトリサービスデーモン、及びインターネット標準サービスデーモンよりなる群から選択されるものである請求項１１記載の装置。
【請求項１５】
前記サービスエージェントプログラムが、ＳＮＭＰエージェント、ＦＴＰ管理エージェント、及びＷＷＷサーバー管理エージェントよりなる群から選択されるものである請求項１１記載の装置。
【請求項１６】
前記プロセス間通信機構が、ソラリスドア(Solaris Doors)、パイプ、セマフォア、共有メモリ、キュー、シグナル、メールボックス、リモートプロシージャコール(RPC)、及びリモートメソッド呼び出し(RMI)よりなる群から選択されるものである請求項１１記載の装置。
【請求項１７】
前記制御演算が、前記デーモンプログラムに向けられるものである請求項１１記載の装置。
【請求項１８】
前記制御演算が、前記二以上のリソースの一以上に向けられるものである請求項９記載の装置。
【請求項１９】
前記制御演算の要求が、選択されたリソースの再初期化に用いられるアクセス制御ファイルで指定される前記二以上のリソースのうち選択された一のリソースの再初期化要求を含み、前記メッセージ処理機構が、この再初期化要求に従って前記制御演算を実行するように構成された請求項１１記載の装置。
【請求項２０】
前記制御演算の要求が、前記コンピュータの実行についての統計の提供要求を含み、この統計の提供要求に従って、前記メッセージ処理機構が、この統計の提供要求に従って前記制御演算を実行するように構成された請求項１１記載の装置。
【請求項２１】
二以上のリソースにサービスを提供するデーモンプログラム上で、コンピュータに制御演算を動的に実行させるためのコンピュータ読取可能コードを備えたコンピュータプログラムを記録したコンピュータ読み取り可能な記憶媒体であって、
前記コンピュータを、前記デーモンプログラムによって関連付けられる二以上の各リソースのための少なくとも一のパラメータを備えた、当該デーモンプログラムのためのプリファレンス機構と通信させるように構成されたコンピュータ読取可能プログラムコード、
前記コンピュータを、一又は二以上のクライアントプログラム又はコマンドラインインターフェイスと接続され、制御演算の要求が開始されるサービスエージェントプログラムに、前記デーモンプログラムを接続させるように構成されたプロセス間通信機構として動作させるように構成されたコンピュータ読取可能プログラムコード、
前記コンピュータを、前記プロセス間通信機構を用いて前記サービスエージェントプログラムから前記デーモンプログラムに、前記制御演算の要求を含むメッセージを送るように動作させるように構成されたコンピュータ読取可能プログラムコード、及び
前記コンピュータを、前記デーモンプログラムによって受信された前記メッセージを処理するとともに、制御演算の要求に応じて、前記二以上のリソースのうち選択された一のリソースのために、前記デーモンプログラムによって用いられる、前記プリファレンス機構の少なくとも一の新たなパラメータ又はパラメータの変更を実行させることにより、少なくとも選択された一のサービスのための制御演算を実行し、新たな又は変更されたパラメータに従って実行される前記二以上のリソースのうち選択された一のリソースの処理のために、前記デーモンプログラムが終了されず、前記二以上のリソースのうち他のリソースのために同時に実行されているサービスが中断されないように動作させるように構成されたコンピュータ読取可能プログラムコード、
を含むコンピュータプログラムを記録したコンピュータ読み取り可能な記憶媒体。
【請求項２２】
前記プロセス間通信機構を前記デーモンプログラム内に備えるように構成された通信設定機構を、前記コンピュータによって動作させるよう構成されたコンピュータ読取可能プログラムコードをさらに含む請求項２１記載のコンピュータプログラムを記録したコンピュータ読み取り可能な記憶媒体。
【請求項２３】
前記制御演算が、管理機能、実行監視機能、コンフィギュレーション機能、及びステータス生成機能よりなる群から選択されるものである請求項２１記載のコンピュータプログラムを記録したコンピュータ読み取り可能な記憶媒体。
【請求項２４】
前記デーモンプログラムが、ＦＴＰデーモン、メールデーモン、ユーズネットニュースデーモン、ＨＴＴＰデーモン、システムログデーモン、ディレクトリサービスデーモン、及びインターネット標準サービスデーモンよりなる群から選択されるものである請求項２１記載のコンピュータプログラムを記録したコンピュータ読み取り可能な記憶媒体。
【請求項２５】
前記サービスエージェントプログラムが、ＳＮＭＰエージェント、ＦＴＰ管理エージェント、及びＷＷＷサーバー管理エージェントよりなる群から選択されるものである請求項２１記載のコンピュータプログラムを記録したコンピュータ読み取り可能な記憶媒体。
【請求項２６】
前記プロセス間通信機構が、ソラリスドア(Solaris Doors)、パイプ、セマフォア、共有メモリ、キュー、シグナル、メールボックス、リモートプロシージャコール(RPC)、及びリモートメソッド呼び出し(RMI)よりなる群から選択されるものである請求項１７記載のコンピュータプログラムを記録したコンピュータ読み取り可能な記憶媒体。
【請求項２７】
前記制御演算が、前記デーモンプログラムに向けられるものである請求項２１記載のコンピュータプログラムを記録したコンピュータ読み取り可能な記憶媒体。
【請求項２８】
前記制御演算が、前記二以上のリソースの一以上に向けられるものである請求項２１記載のコンピュータプログラムを記録したコンピュータ読み取り可能な記憶媒体。
【請求項２９】
前記制御演算の要求は、選択されたリソースの再初期化に用いられるアクセス制御ファイルで指定される前記二以上のリソースのうち選択された一のリソースの再初期化要求を含み、前記コンピュータを、この再初期化要求に従って前記制御演算を実行するように動作させる請求項２１記載のコンピュータプログラムを記録したコンピュータ読み取り可能な記憶媒体。
【請求項３０】
前記制御演算の要求は、前記コンピュータの実行についての統計の提供要求を含み、この統計の提供要求に従って、前記コンピュータを、この統計の提供要求に従って前記制御演算を実行するように動作させる請求項２１記載のコンピュータプログラムを記録したコンピュータ読み取り可能な記憶媒体。